(57)【特許請求の範囲】
【請求項１】
碍子（２）を架空電線（１）に緊縛支持するのに使用するための巻付バインド（１０）であって、
前記架空電線の直径よりも小さい直径を有するとともに被覆された金属線からなり、
前記碍子の首部に巻回できるように前記金属線の長手方向の中央部に屈曲形成された半円弧部（１１）と、
該半円弧部の両端部にそれぞれ屈曲形成された第１および第２の螺旋部（１２ａ，１２ｂ）と、
該第１および第２の螺旋部の開放端部にそれぞれ取り付けられた第１および第２の紐状部材と、
を具備することを特徴とする、巻付バインド。
【請求項２】
前記第１および第２の紐状部材が、ゴム製の第１および第２のチューブ（１３ａ，１３ｂ）であることを特徴とする、請求項１記載の巻付バインド。
【請求項３】
前記第１および第２のチューブの一端部が、前記第１および第２の螺旋部の開放端部にそれぞれ挿入されるとともに接着剤でそれぞれ取り付けられていることを特徴とする、請求項２記載の巻付バインド。
【発明の詳細な説明】
【技術分野】
【０００１】
本発明は、ピン碍子の架空電線への緊縛支持に使用するのに好適な巻付バインドに関する。
【背景技術】
【０００２】
電力会社では、図２（ｃ）に示すように、ピン碍子２を架空電線１に緊縛支持するために巻付バインド１１０を使用している。
【０００３】
ここで、巻付バインド１１０は、直径が架空電線１の直径よりも小さく弾性および高張力を有する絶縁被覆された金属線からなる。
また、図２（ａ）に示すように、巻付バインド１１０は、ピン碍子２の首部に巻回できるように、半円弧部１１１が金属線の長手方向の中央部に屈曲形成されるとともに、半円弧部１１１の両端部に電線巻付け用の螺旋部１１２ａ，１１２ｂが屈曲形成されている。
【０００４】
このように構成された巻付バインド１１０を使用してピン碍子２を活線状態の架空電線１に緊縛支持する際には、作業員は、ピン碍子２の首部に添えられた架空電線１に対してピン碍子２の首部を挟んだ反対側（図２（ｃ）図示手前側）に巻付バインド１１０の半円弧部１１１を掛け、ホットスティックの先端に取り付けられた巻付グリップトング１２０（図２（ｂ）参照）の穴部１２１に巻付バインド１１０の螺旋部１１２ａを入れたのち、巻付グリップトング１２０を架空電線１の周囲に添って略１周ほど回すことにより、金属線の弾性力を利用して螺旋部１１２ａの最初の螺旋部分（半円弧部１１１側の螺旋部分）を架空電線１に巻き付ける。
その後、作業員は、巻付グリップトング１２０の穴部１２１から螺旋部１１２ａを一旦外したのちに穴部１２１に螺旋部１１２ａを再度入れて巻付グリップトング１２０を架空電線１の周囲に添って略１周ほど回すことを繰り返すことにより、螺旋部１１２ａの最後の螺旋部分まで架空電線１に巻き付けていく。
螺旋部１１２ａの最後の螺旋部分を架空電線１に巻き付けると、作業員は、巻付グリップトング１２０のドライバー部１２２を架空電線１と螺旋部１１２ａの開放端部（半円弧部１１１と反対側の部分）との間に差し込んで螺旋部１１２ａの開放端部を巻き付けることにより、螺旋部１１２ａを架空電線１に固定する。
その後、作業員は、同様の手順で、巻付グリップ１１０の螺旋部１１２ｂを架空電線１に巻き付けて固定する。
【０００５】
巻付バインド１１０を架空電線１から取り外す際には、作業員は、巻付グリップトング１２０のドライバー部１２２を巻付グリップ１１０の螺旋部１１２ａの開放端部と架空電線１との間に差し込んで螺旋部１１２ａの開放端部を架空電線１から解いたのち、巻付グリップトング１２０の穴部１２１に螺旋部１１２ａを入れたのち、巻付グリップトング１２０を架空電線１の周囲に添って略１周ほど回すことにより、金属線の弾性力を利用して螺旋部１１２ａの最後の螺旋部分を架空電線１から取り外す。
その後、作業員は、巻付グリップトング１２０の穴部１２１から螺旋部１１２ａを一旦外したのちに穴部１２１に螺旋部１１２ａを再度入れて巻付グリップトング１２０を架空電線１の周囲に添って略１周ほど回すことを繰り返すことにより、螺旋部１１２ａの最初の螺旋部分まで架空電線１から取り外していく。
その後、作業員は、同様の手順で、巻付グリップ１１０の螺旋部１１２ｂを架空電線１から取り外す。
【０００６】
なお、本出願人は、下記の特許文献１において、２つの螺旋部の開放端部を環状に形成することにより、架空電線に食い込まないようにした環状絶縁電線用巻付けバインドを提案している。
また、本出願人は、下記の特許文献２において、電線に風や倒木などによる振動や衝撃などが加わっても碍子が外れにくくするために、金属線の長手方向の中央部を屈曲交差させて碍子係合用の環状部を形成し、金属線の両端部に電線巻付け用の螺旋部を屈曲形成するようにした電線巻付けバインドを提案している。
【先行技術文献】
【特許文献】
【０００７】
【特許文献１】特開２００７−１５７４１１号公報
【特許文献２】特開２００７−１２８７５３号公報
【発明の概要】
【発明が解決しようとする課題】
【０００８】
しかしながら、従来の巻付バインド１１０では、巻付バインド１１０の架空電線１への巻付けおよび取外し時に巻付グリップトング１２０のドライバー部１２２を巻付バインド１１０の螺旋部１１２ａ，１１２ｂの開放端部と架空電線１との間に差し込んで捏ねたり引っ張ったりするために、ドライバー部１２２で架空電線１および巻付バインド１１０の被覆を傷付けてしまうと、架空電線１の真線および巻付バインド１１０の金属線が露出してしまい、架空電線１の露出した真線と巻付バインド１１０の露出した金属線とが接触することによって巻付バインド１１０が充電して、配電線事故の原因になってしまうという問題があった。
また、巻付グリップトング１２０の代わりに絶縁ヤットコを使用して作業しても、巻付バインド１１０の構造上から絶縁ヤットコで巻付バインド１１０の螺旋部１１２ａ，１１２ｂを把持しながら架空電線１の周囲に添って略１周ずつ回していくことは困難であるという問題があった。
【０００９】
本発明の目的は、架空電線および巻付バインドの被覆を傷付けることなく架空電線に巻き付けたり取り外したりすることができる巻付バインドを提供することにある。
【課題を解決するための手段】
【００１０】
本発明の巻付バインドは、碍子（２）を架空電線（１）に緊縛支持するのに使用するための巻付バインド（１０）であって、前記架空電線の直径よりも小さい直径を有するとともに被覆された金属線からなり、前記碍子の首部に巻回できるように前記金属線の長手方向の中央部に屈曲形成された半円弧部（１１）と、該半円弧部の両端部にそれぞれ屈曲形成された第１および第２の螺旋部（１２ａ，１２ｂ）と、該第１および第２の螺旋部の開放端部にそれぞれ取り付けられた第１および第２の紐状部材とを具備することを特徴とする。
ここで、前記第１および第２の紐状部材が、ゴム製の第１および第２のチューブ（１３ａ，１３ｂ）であってもよい。
前記第１および第２のチューブの一端部が、前記第１および第２の螺旋部の開放端部にそれぞれ挿入されるとともに接着剤でそれぞれ取り付けられていてもよい。
【発明の効果】
【００１１】
本発明の巻付バインドは、以下に示す効果を奏する。
（１）第１および第２の紐状部材を第１および第２の螺旋部の開放端部にそれぞれ取り付けることにより、巻付グリップトングの代わりに絶縁ヤットコを使用して第１および第２の螺旋部を架空電線に巻き付けたり取り外したりすることができるため、架空電線および巻付バインドの被覆を傷付けることなく第１および第２の螺旋部を架空電線に巻き付けたり取り外したりすることができる。
（２）第１および第２の紐状部材としてチューブまたは紐を使用することにより、第１および第２の螺旋部を架空電線に効率的に巻き付けたり取り外したりすることができるとともに、チューブまたは紐により巻付バインドの先端が目立つので目を突くなど災害を防止することができる。また、巻付バインドは幾つか固めて置いておくと巻付バインド同士で絡まってしまうが、チューブまたは紐を用いて吊るすことにより整理整頓をし易くすることができる。
【図面の簡単な説明】
【００１２】
【図１】本発明の一実施例による巻付バインド１０の構成を示す図である。
【図２】従来の巻付バインド１１０の構成などを説明するための図である。
【発明を実施するための形態】
【００１３】
上記の目的を、第１および第２の螺旋部の開放端部に第１および第２の紐状部材をそれぞれ取り付けることにより実現した。
【実施例１】
【００１４】
以下、本発明の巻付バインドの実施例について図面を参照して説明する。
本発明の一実施例による巻付バインド１０は、図１に示すように、螺旋部１２ａ，１２ｂの開放端部（半円弧部１１と反対側の端部）にチューブ１３ａ，１３ｂがそれぞれ取り付けられている点で、図２（ａ）に示した従来の巻付バインド１１０と異なる。
【００１５】
ここで、チューブ１３ａ，１３ｂは、ゴム製であり、引っ張っても切れることがない強度を有し、長さは好ましくは１０ｃｍ程度のものである。
また、チューブ１３ａ，１３ｂは、一端部が巻付バインド１０の螺旋部１２ａ，１２ｂの開放端部にそれぞれ挿入されることにより取り付けられている。そのため、引っ張ってもチューブ１３ａ，１３ｂが螺旋部１２ａ，１２ｂから抜けないように、チューブ１３ａ，１３ｂの一端部は螺旋部１２ａ，１２ｂの開放端部に接着剤でそれぞれ取り付けられている。
【００１６】
このように構成された巻付バインド１０を用いてピン碍子２を活線状態の架空電線１に緊縛支持する際には、作業員は、ピン碍子２の首部に添えられた架空電線１に対してピン碍子２の首部を挟んだ反対側に巻付バインド１０の半円弧部１１を掛け、ホットスティックの先端に取り付けられた絶縁ヤットコを使用して架空電線１の下方に垂れ下がっているチューブ１３ａを把持したのちにチューブ１３ａを架空電線１の上方を通して架空電線１の反対側に放り投げ、絶縁ヤットコでチューブ１３ａを再度把持して下方に引っ張ることにより、金属線の弾性力を利用して螺旋部１２ａの最初の螺旋部分（半円弧部１１側の螺旋部分）を架空電線１に巻き付ける。
その後、作業員は、チューブ１３ａを架空電線１の上方を通して架空電線１の反対側に放り投げたのち、絶縁ヤットコでチューブ１３ａを再度把持して下方に引っ張ることを繰り返すことにより、螺旋部１２ａの最後の螺旋部分まで架空電線１に巻き付けていく。螺旋部１２ａの最後の螺旋部分を架空電線１に巻き付けると、作業員は、絶縁ヤットコを使用してチューブ１３ａを架空電線１に縛って螺旋部１２ａを架空電線１に固定する。
その後、作業員は、同様の手順で、巻付グリップ１０の螺旋部１２ｂを架空電線１に巻き付けたのち、チューブ１３ｂを架空電線１に縛って螺旋部１２ｂを架空電線１に固定する。
【００１７】
巻付バインド１０を架空電線１から取り外す際には、作業員は、絶縁ヤットコを使用してチューブ１３ａを架空電線１から解いて、チューブ１３ａを架空電線１の上方を通して架空電線１の反対側に放り投げたのち、チューブ１３ａを再度把持して下方に引っ張ることにより、金属線の弾性力を利用して螺旋部１２ａの最後の螺旋部分を架空電線１から取り外す。
その後、作業員は、絶縁ヤットコを使用して架空電線１の下方に垂れ下がっているチューブ１３ａを把持したのちにチューブ１３ａを架空電線１の上方を通して架空電線１の反対側に放り投げ、チューブ１３ａを再度把持して下方に引っ張ることを繰り返すことにより、螺旋部１２ａの最初の螺旋部分まで架空電線１から取り外していく。
その後、作業員は、同様の手順で、チューブ１３ｂを架空電線１から解いたのち、巻付グリップ１０の螺旋部１２ｂを架空電線１から取り外す。
【００１８】
これにより、作業員は、絶縁ヤットコを使用して巻付バインド１０の架空電線１への取付けおよび取外しをすることができるため、架空電線１および巻付バインド１０の被覆を傷付けずに作業を行うことができる。
【００１９】
なお、チューブ１３ａ，１３ｂを架空電線１に縛って巻付バインド１０の螺旋部１２ａ，１２ｂを架空電線１に固定する代わりに、チューブ１３ａ，１３ｂの開放端に錘を取り付けて絶縁ヤットコを使用して螺旋部１２ａ，１２ｂと同様にしてチューブ１３ａ，１３ｂを架空電線１に数回巻き付けて錘を垂れ下げることにより螺旋部１２ａ，１２ｂを架空電線１に固定してもよい。
【符号の説明】
【００２０】
１  架空電線
２  ピン碍子
１０，１１０  巻付バインド
１１，１１１  半円弧部
１２ａ，１２ｂ，１１２ａ，１１２ｂ  螺旋部
１３ａ，１３ｂ  チューブ
１２０  巻付グリップトング
１２１  穴部
１２２  ドライバー部
【要約】
【課題】架空電線および巻付バインドの被覆を傷付けることなく架空電線に巻き付けたり取り外したりすることができる巻付バインドを提供する。
【解決手段】ピン碍子２を架空電線１に緊縛支持するのに使用するための巻付バインド１０であって、架空電線１の直径よりも小さい直径を有するとともに被覆された金属線からなり、ピン碍子２の首部に巻回できるように金属線の長手方向の中央部に屈曲形成された半円弧部１１と、半円弧部１１の両端部にそれぞれ屈曲形成された第１および第２の螺旋部１２ａ，１２ｂと、第１および第２の螺旋部１２ａ，１２ｂの開放端部にそれぞれ取り付けられた第１および第２のチューブ１３ａ，１３ｂとを具備する。
【選択図】図１【図１】
0005524375.tif 000002
【図２】
0005524375.tif 000003